(57)【要約】  【課題】  電子メール、電話のやり取りを時系列に容易に正確に表示できる携帯端末装置を提供すること。  【解決手段】  送信した電子メール、受信した電子メールをそれぞれ記憶する記憶部１６と、記憶部１６に記憶された電子メールの中から操作部６によって指定された相手の電子メールを検出する制御部１９と、制御部１９によって検出された相手の電子メールを時系列に一覧表示する表示部１とを設ける。このことにより、指定した相手に対する、送信した電子メール、受信した電子メールをそれぞれ混在させて時系列に一覧表示でき、相手との間でどのように電子メールの交換を行ったか一目瞭然となる。【選択図】図２
2005160052.tif 000002
【特許請求の範囲】
【請求項１】
送信した電子メール及び受信した電子メールを記憶する記憶手段と、
名称、電話番号、及びメールアドレスのいずれか少なくとも一つを含む登録情報を記憶する電話帳記憶手段と、
前記記憶された登録情報から相手を指定する指定手段と、
前記指定手段によって指定された相手の電子メールを、前記記憶手段から読み出して検出する検出手段と、
前記検出手段によって検出された前記相手の電子メールを送信した電子メールと受信した電子メールとをそれぞれ混在させて時系列に一覧表示する表示手段と、
を備えた携帯端末装置。
【請求項２】
送信した電子メール及び受信した電子メールを記憶する記憶手段と、
前記記憶された電子メールから所望の電子メールを指定する指定手段と、
前記指定手段によって指定された電子メールと同じ相手の電子メールを、前記記憶手段から読み出して検出する検出手段と、
前記検出手段によって検出された前記電子メールを、送信した電子メールと受信した電子メールとをそれぞれ混在させて時系列に一覧表示する表示手段と、
を備えた携帯端末装置。
【請求項３】
前記表示手段は、前記一覧表示として、前記電子メールの題名を一覧表示する請求項１又は２記載の携帯端末装置。
【請求項４】
発信履歴、着信履歴を記憶する記憶手段と、前記記憶手段に記憶された発信履歴、着信履歴の中から指定手段によって指定された相手に対する発信履歴、着信履歴をそれぞれ検出する検出手段と、前記検出手段によって検出された前記発信履歴、着信履歴をそれぞれ混在させた状態で時系列に一覧表示する表示手段とを備えた携帯端末装置。
【請求項５】
前記表示手段は、前記発信履歴、着信履歴にそれぞれそれらを区別できる表示を加えて表示することを特徴とする請求項４記載の携帯端末装置。
【請求項６】
前記履歴は、前記発信、着信の日時、通話時間であることを特徴とする請求項４または５記載の携帯端末装置。
【発明の詳細な説明】
【技術分野】
【０００１】
本発明は、電子メール機能を備えた携帯電話機などの携帯端末装置に関する。
【背景技術】
【０００２】
従来、携帯電話機では、電話機能に加え、電子メールやインタネット等、多くの機能が備え付けられている。そして、電話をした場合は勿論のこと、電子メールをした場合でも、これらの履歴がそれぞれ記憶部に記憶されるように構成されている。（例えば、特許文献１参照）
【０００３】
したがって、これら携帯電話機でも、送信した電子メールや、受信した電子メール、更には、発信、或いは、着信した電話の通話履歴などを、それぞれ後で表示し、容易に確認することができる。
【特許文献１】特開平１１−２７２５８５号公報
【発明の開示】
【発明が解決しようとする課題】
【０００４】
しかしながら、従来使用されているこの種の携帯電話機では、送信した電子メールと受信した電子メールとをそれぞれ区別して表示するようにしており、例えば、同じ相手に対する電子メールであっても送信した電子メールと受信した電子メールとをそれぞれ混在させて表示することができないものであった。また、このことは、電話の発信履歴、着信履歴についても同様であり、例えば同じ相手に対してどのように電話をしたかを見るとき、きわめて不便なものであった。
【０００５】
本発明は、このような従来の問題に鑑みてなされたものであり、電子メール、電話のやり取りを時系列に容易に正確に表示できる携帯端末装置を提供するものである。
【課題を解決するための手段】
【０００６】
本発明の携帯端末装置は、送信した電子メール及び受信した電子メールを記憶する記憶手段と、名称、電話番号、及びメールアドレスのいずれか少なくとも一つを含む登録情報を記憶する電話帳記憶手段と、前記記憶された登録情報から相手を指定する指定手段と、前記指定手段によって指定された相手の電子メールを、前記記憶手段から読み出して検出する検出手段と、前記検出手段によって検出された前記相手の電子メールを送信した電子メールと受信した電子メールとをそれぞれ混在させて時系列に一覧表示する表示手段と、を備えた構成を有している。
【０００７】
この構成により、指定した相手に対する、送信した電子メール、受信した電子メールをそれぞれ混在させて時系列に並べて一覧表示できるため、その相手に対し、どのように電子メールをしたか一目瞭然となる。
【０００８】
また、本発明の携帯端末装置は、送信した電子メール及び受信した電子メールを記憶する記憶手段と、前記記憶された電子メールから所望の電子メールを指定する指定手段と、前記指定手段によって指定された電子メールと同じ相手の電子メールを、前記記憶手段から読み出して検出する検出手段と、前記検出手段によって検出された前記電子メールを、送信した電子メールと受信した電子メールとをそれぞれ混在させて時系列に一覧表示する表示手段と、を備えた構成を有している。
【０００９】
この構成により、指定した相手に対する、送信した電子メール、受信した電子メールをそれぞれ混在させて時系列に並べて一覧表示できるため、その相手に対し、どのように電子メールをしたか一目瞭然となる。
【００１０】
また、本発明の携帯端末装置は、前記表示手段が、前記一覧表示として、前記電子メールの題名を一覧表示する構成を有している。
【００１１】
この構成により、簡潔に記載される題名を一覧表示することで、どのような電子メールが送受信されたかを容易に把握することができる。
【００１２】
また、本発明の携帯端末装置は、発信履歴、着信履歴を記憶する記憶手段と、記憶手段に記憶された発信履歴、着信履歴の中から指定手段によって指定された相手に対する発信履歴、着信履歴をそれぞれ検出する検出手段と、検出手段によって検出された発信履歴、着信履歴をそれぞれ混在させた状態で時系列に一覧表示する表示手段とを備えた構成を有する。
【００１３】
この構成により、指定した相手に対し、発信した電話、着信した電話のそれぞれの履歴を混在させて時系列に並べて一覧表示できるため、その相手に対し、どのような履歴で電話交信したか一目瞭然となる。
【００１４】
また、本発明の携帯端末装置は、表示手段が、発信履歴、着信履歴にそれぞれそれらを区別できる表示を加えて表示する構成を有する。
【００１５】
この構成により、同じ相手との間で、どのような履歴で発信、着信をしたかが一目瞭然となり、それを基に記憶を辿ることが可能になる。
【００１６】
また、本発明の携帯端末装置は、履歴が、発信、着信の日時、通話時間である構成を有する。
【００１７】
この構成により、発信、着信の日時、通話時間を時系列に確認することができる。
【発明の効果】
【００１８】
本発明は、電子メール、電話のやり取りを時系列に容易に正確に表示できる携帯端末装置を提供することができる。
【発明を実施するための最良の形態】
【００１９】
以下、本発明の最良の実施の形態について説明する。
【００２０】
図１は、本発明の一実施の形態における携帯端末装置の外観図、図２は、同携帯端末装置の概略構成図である。
【００２１】
本発明の一実施の形態における携帯端末装置は、図１、図２に示すように、表示部１を有する第１の筐体２と、ナビゲーションキー３、機能キー４、テンキー５などの各種操作キーで構成された操作部６を有する第２の筐体７とを有し、これらの筐体２、７はヒンジ部８によって互いに一端が連結され、ヒンジ部８を中心に開閉可能に構成されている。
【００２２】
そして、筐体２、７の内部には、図２に示すように、表示部１、操作部６のほかに、アンテナ９に接続された無線送受信部１０、音声入出力部１１、音声入出力部１１に接続されたマイク１２、レシーバ１３、呼出音出力部１４、呼出音出力部１４に接続された呼出音出力用のスピーカ１５、受信した電子メール、送信した電子メールなどを記憶する記憶部１６、カメラ部１７、電話帳部１８、及び、これらの各部をそれぞれ制御する制御部１９が内蔵されている。
【００２３】
尚、マイク１２、レシーバ１３は、それぞれ第２の筐体７に形成した集音用の透孔２０、第１の筐体２に形成した放音用の透孔２１に対向する位置に設けられ、また、スピーカ１５は、図示していないが、第１又は第２の筐体の裏面側に形成した放音用の透孔に対向する位置に設けられている。また、カメラ部１７を構成するカメラは、図示していないが、第１の筐体２の裏面側にレンズ部が露出可能なように設けられている。
【００２４】
次に、本発明の一実施の形態における携帯端末装置の動作について、詳細に説明する。
【００２５】
先ず、本発明の一実施の形態における携帯端末装置は、第１、第２の筐体２、７がそれぞれヒンジ部８によって互いに開閉可能に形成されており、第１、第２の筐体２、７を互いに開放した状態で、操作部６を用いて予め定めた操作を行うことにより、適宜、電子メールや電話などを送信、発信、受信、着信することが可能である。
【００２６】
すなわち、電話を発信する場合には、テンキー５を用いて相手の電話番号を入力したり、予め定めた操作キーを操作し、電話帳部１８より相手の電話番号を引き出したりして、これらの電話番号を一旦表示部１に表示し、その状態で予め定めた発信用のキーを操作することにより、テンキー５で入力した電話番号や電話帳部１８より引出した電話番号をそれぞれ送受信部１０を介して図示していない電話基地局に送信し発信することができる。
【００２７】
そして、発信した電話に対し、相手が応答すれば、相手との間で通話回路が自動的に形成されるため、マイク１２、スピーカ１３を用いて、音声入出力部１１、無線送受信部１０を介してそれぞれその相手との間で通話することができる。
【００２８】
相手から電話の呼出しがあり、それが送受信部１０で受信された場合には、制御部１９の制御の基で、呼出音出力部１４よりスピーカ１５に所定の呼出信号が出力され、スピーカより所定の呼出音が出力される。したがって、それに応えて予め定めた所定のキーを操作すれば、相手との間で通話することができるようになる。
【００２９】
電子メールの場合も同様に、それを送信する場合には、ナビゲーションキー３や機能キー４、テンキー５などを用いて、まず、電子メールを作成すると共に相手の電子メールアドレスを電話帳部１８より引き出したり、テンキー５などを用いて入力したりして、これらを一旦表示部１に表示し、その状態で送信用の所定のキーを操作することにより、テンキー５などで入力した電子メールアドレスや電話帳部１８より引出した電子メールアドレスと共にナビゲーションキー３や機能キー４、テンキー５などを用いて作成した電子メールを無線送受信部１０を介して電子メールプロバイダー（図示せず）に送信し、相手に送信することができる。
【００３０】
そして、相手からの電子メールは、無線送受信部１０が自動的に受信し、制御部１９の制御の基で、記憶部１６に自動的に記憶される。したがって、これらは、操作部６を用いて記憶部１６より呼出すことにより、表示部１に表示して容易に確認することができる。
【００３１】
ところで、本実施の形態における携帯端末装置では、電話帳部１８が、図３に示すように、相手の氏名、電話番号のほかに、相手のグループ名、電子メールのメールアドレス、相手の顔写真などの写真データ、メモなどをそれぞれ相手の氏名に対応づけて記憶可能なように構成されている。
【００３２】
相手の氏名、電話番号、グループ名、メールアドレス、写真データ、メモなどをそれぞれ電話帳部１８に記憶する場合には、操作部６を用いて携帯端末装置を電話帳記憶モードに切り換え、その状態で操作部６の任意のキーを用いて任意に記憶することができる。すなわち、本実施の形態では、これらのデータをすべて操作部６を用いて手入力できるように構成しており、また、発信、送信したときのデータや、着信、受信したときに、相手から送られてきたデータなどを用いて、それらの中の必要なデータを任意に電話帳部１８に記憶可能なようにも構成している。相手の顔写真などの写真データは、カメラ部１７で撮影した相手の顔写真や、相手から添付ファイルとして電子メールなどで送信されてきた相手の顔写真などを相手の氏名に対応づけて所定の領域に記憶可能なように構成している。
【００３３】
尚、記憶部１６は、送信履歴のテーブルと、受信履歴のテーブルをそれぞれ有し、それぞれのテーブルには、図４に示すように、相手との間で電子メールをやり取りしたときの日時、相手のメールアドレス、電子メールのタイトル、内容などをすべて記憶可能なように構成している。そして、これらのデータは、相手との間で電子メールのやり取りしたときに、制御部１９の制御の基で、履歴として自動的に記憶されるように構成されている。また、記憶部１６には、図示していないが、電話発信したときの発信日時、通話時間、電話着信したときの着信日時、通話時間などを記憶する電話履歴テーブルをも備えている。そして、これらのデータも、電話発信したとき、電話着信したときに、制御部１９の制御の基で自動的に記憶されるように構成されている。
【００３４】
次に、本実施の形態における携帯端末装置において、電子メールや電話通信のそれぞれの履歴を表示する動作について、図５〜図１２を用いて詳細に説明する。
【００３５】
先ず、電子メールの履歴を表示する場合には、図５に示すように、操作部６を用いて予め定めた電子メール履歴閲覧のための操作を行う（Ｓ５０１）。電子メール履歴閲覧のための操作を行うと（Ｓ５０１）、その操作の情報が、制御部１９に入力され、制御部１９の制御の基で、携帯端末装置が、電子メール履歴閲覧モードになる。そして、この状態で、閲覧内容を選択するモードになり（Ｓ５０２）、それが表示部１に表示される。
【００３６】
表示部１には、電子メールの相手別閲覧、受信履歴の閲覧、送信履歴の閲覧の表示が行われ、その中から１つを選択するように促す表示が成される。
【００３７】
表示部１の表示にしたがって、今、操作部６を用いて、相手別の閲覧を選択したとすると（Ｓ５０３のＹ）、その状態で、閲覧したい相手の氏名の入力を促す表示が成される。ここで、閲覧したい相手の氏名を、操作部６を用いて入力すると（Ｓ５０４のＹ）、それが制御部１９に入力され、制御部１９の制御の基で、記憶部１６の送信履歴テーブル、受信履歴テーブルから、それぞれ入力した相手の電子メールのみが検出され（Ｓ５０５）、それが送信受信に関係なく時系列に表示部１に一覧表示される（Ｓ５０６）。
【００３８】
すなわち、この場合には、図６に示すように、入力した相手の氏名と、その相手の写真が電話帳部１８に記憶されていれば、その相手の写真が制御部１９の制御の基で、読み出され、それが表示部１に表示されると共に、その氏名、写真に加えて、その相手との電子メールのやり取りが時系列で、例えば、受信メールを表す右方向の矢印、送信メールを表す左方向の矢印と共に、その時の電子メールの内容の頭部分が可能な範囲でそれぞれ表示部１に表示される。
【００３９】
なお、図１４に示すように、指定された相手との電子メールのやり取りの一覧として、電子メールの題名のみを表示してもよい。このように、簡潔に記載される題名のみを表示することで、どのような電子メールが送受信されたかを容易に把握することができる。
【００４０】
また、送受信したそれぞれの電子メールの題名と本文の全部又は一部とを表示してもよい。また、電話帳部１８に指定された相手の写真が記憶されている場合においても、相手別閲覧表示において、写真の表示を省略してもよい。
【００４１】
そして、この状態で、操作部６を用いて表示された電子メールの中から１つを指定し、全文表示を希望する操作を行うと（Ｓ５０７のＹ）、先に指定された電子メールの全文が、図７に示すように、表示部１の画面ほぼ一杯に拡大されて表示される（Ｓ５０８）。
【００４２】
表示された電子メールの中から１つも指定せずに（Ｓ５０７のＮ）、そのまま終了操作を行った場合（Ｓ５０９のＹ）には、その時点で電子メールの閲覧表示モードが終了し、終了操作を行わなかった場合（Ｓ５０９のＮ）には、表示された電子メールの中から１つを指定するモード（Ｓ５０７）に戻り、そのまま状態を維持する。
【００４３】
そして、指定された電子メールが全文表示されている状態（Ｓ５０８）で、「戻る」という操作をした場合（Ｓ５１０）には、全文表示が終了し、図６に示す履歴の閲覧表示（Ｓ５０６）に戻る。
【００４４】
閲覧内容を選択するモード（Ｓ５０２）において、受信履歴の閲覧を選択した場合（Ｓ５１１）には、記憶部１６の受信履歴テーブルからのみ電子メールが出力される（Ｓ５１２）ことになり、それが表示部１に一覧表示される（Ｓ５０６）。すなわち、この場合には、図８に示すように、受信履歴として、これまでに受信された電子メールの開封状態（たとえば、メール袋のイラストの開閉状態で表示）と、そのメールの相手の氏名、メールアドレスなどがそれぞれ一覧表示される。そして、表示された電子メールの中から操作部６を用いて１つを選択すると、その選択された１つの電子メールの受信日時が表示部６の一部（例えば、一覧表示の下部に設けた専用の部分）に表示される。更に、電話帳部１８にその選択された１つのメールの相手の写真が登録されていた場合、制御部１９の制御の基で、電話帳部１８よりその相手の写真が読み出され、表示部６の一部（例えば、表示部の右上の専用部分）に表示される。
【００４５】
閲覧内容を選択するモード（Ｓ５０２）において、送信履歴の閲覧を選択した場合（Ｓ５１３）には、記憶部１６の送信履歴テーブルからのみ電子メールが出力されることになり（Ｓ５１４）、それが表示部１に一覧表示される（Ｓ５０６）。すなわち、この場合には、図９に示すように、送信履歴として、これまでに送信された電子メールの送信状況（例えば、送信済みの電子メールはメール袋が開放したイラスト、未送信の電子メールは閉じたイラストで表示）と、そのメールの相手の氏名、メールアドレスなどがそれぞれ一覧表示される。そして、表示された電子メールの中から操作部６を用いて１つを選択すると、その選択された１つの電子メールの送信日時又は作成日時がそれぞれ表示部６の一部（例えば、一覧表示の下部に設けた専用の部分）に表示される。更に、電話帳部１８にその選択された１つのメールの相手の写真が登録されていた場合には、制御部１９の制御の基で、電話帳部１８よりその相手の写真が読み出され、表示部６の一部（例えば、表示部の右上の専用部分）に表示される。
【００４６】
そして、受信履歴、送信履歴、いずれを選択した場合でも、一覧表示された履歴の中から１つを指定し、その指定した１つの電子メールを全文表示したい旨の操作を行った場合（Ｓ５０７のＹ）には、図１０、図１１に示すように、それぞれ指定された電子メールが全文表示される（Ｓ５０８）。
【００４７】
なお、閲覧内容選択モード（Ｓ５０２）において、相手別の閲覧を選択し（Ｓ５０３のＹ）、相手の氏名を入力する場合（Ｓ５０４）、本実施の形態では、操作部６を用いて直接相手の氏名を入力するようにしているが、電話帳部１８には、先に示したように、グループ名、氏名、電話番号、メールアドレスなどがそれぞれ記憶されているので、これらを使用して、図１２に示すように、先ず、グループ名を指定し、その中から相手を選択し、入力するようにしても良い。また、登録された氏名、電話番号、メールアドレスなどの全部または一部を用いて希望する相手を検索し、検索された相手を指定してその相手の氏名を入力するようにしてもよい。
【００４８】
さて、相手別閲覧における指定する相手は、特定の個人だけではなく、電話帳部１８に記憶されているグループも含んでもよい。すなわち、特定のグループを指定して、そのグループに登録されている相手とやり取りしたメールを一覧表示してもよい。
【００４９】
図１５は、本発明の一実施の形態における携帯端末装置において、グループを指定した相手別閲覧を選択した場合の表示を示す図である。図１５に示すように、電子メールの相手別閲覧の相手として「飲み仲間」のグループを指定した場合、グループ名やグループを示すアイコン、電話帳部１８に「飲み仲間」のグループとして登録されている相手とのメールのやり取り等が表示される。このグループとしては、「学校仲間」、「会社」、「部活」等、携帯端末装置の使用者により、任意に登録することが可能である。
【００５０】
なお、電話帳部１８にメンバーの顔写真が登録されている場合には、メンバーの名前の横や、名前の代わりに顔写真を表示させてもよい。また、画面の一部に、選択されている状態にあるメールの相手のみの顔写真を表示させてもよい。
【００５１】
以上、電子メールの履歴を閲覧する場合について、その動作を説明したが、本実施の形態では、電話の履歴も同様に閲覧できるように構成されている。すなわち、操作部６を用いて、電話の履歴を閲覧するための操作を行うと、電子メールの場合と同様、電話の履歴の閲覧内容選択モードになり、相手別閲覧、着信履歴閲覧、発信履歴閲覧の選択を促す表示が表示部１に表示される。表示部１の表示にしたがって、相手別閲覧を選択すると、相手の氏名を入力するモードになり、ここで相手の氏名を入力すると、その相手との間の電話の発信、着信の履歴がそれぞれ混在した状態で、図１３に示すように、時系列に並べられて表示部１に表示される。すなわち、この場合には、発信、着信の区別と、その発信、着信があった日時、通話時間などの他に、これまでに発信、着信が何回あったかなども同時に表示部１に表示される。
【００５２】
着信履歴の閲覧、発信履歴の閲覧をそれぞれ選択した場合には、図示していないが、着信履歴のみ、或いは、発信履歴のみがそれぞれ時系列に図１３と同じように表示される。
【００５３】
ところで、図５に示された例では、相手別閲覧表示の対象となる相手は、メール履歴から、相手氏名を入力することで、指定されている。しかしながら、相手別閲覧表示の相手指定方法は、以下に説明する方法を含む、種々の方法が適用可能である。図１６は、本発明の実施形態における相手別閲覧の相手指定方法の第二の例を示すフローチャートである。
【００５４】
図１６に示すように、まず、使用者により、操作部６を介して電話帳の起動の指示が入力されると、制御部１９は、操作部６からの電話帳起動の指示に基づいて、電話帳部１８に記憶されている名称、電話番号、電子メールアドレス、写真、住所、及びメモ等のいずれか少なくとも一つを含む登録情報を呼び出す（ステップＳ１５０１）。
【００５５】
次に、表示部１に表示された登録情報から、操作部６を用いて、登録されている人物の検索及び選択が行われると、制御部１９は、表示部１に、選択された人物の登録情報や履歴情報等の表示情報を表示させる（ステップＳ１５０２）。
【００５６】
図１７（ａ）は、登録情報の表示例を示す図である。図１７（ａ）に示すように、表示情報は、登録されている名称や写真、及び登録者の電話番号やメールアドレス等の項目を示すタグを含む。そして、選択された項目から、その項目に関連した動作、例えば、電話の発信、電子メール作成等を行うことができる。
【００５７】
つづいて、表示されている人物に対して、相手別閲覧を行う場合（ステップＳ１５０３のＹ）、発信発着信履歴（ステップＳ１５０４）又はメール履歴（ステップＳ１５０５）が選択可能となる。
【００５８】
図１７の例においては、図１７（ｂ）に示すように、表示情報における最新履歴項目のタグを選択し、その電話番号又はメールアドレスを指定することで、相手別閲覧及びその閲覧対象（発着信履歴又はメールの履歴）を選択することができる。なお、同一の人物に複数の電話番号やメールアドレスが登録されている場合には、その登録された電話番号又はメールアドレスごとに指定することで、対応する発着信履歴又はメール履歴を表示させてもよい。
【００５９】
発着信履歴の相手別閲覧が選択された場合（ステップＳ１５０４のＹ）、制御部１９は、記憶部１６に記憶されている電話履歴のテーブルから、指定された相手の履歴を検索して読み出し、表示部１に、読み出した発着信履歴を時系列に出力する（ステップＳ１５０５）。
【００６０】
また、メール履歴の相手別閲覧が選択された場合（ステップＳ１５０６のＹ）、制御部１９は、記憶部１６に記憶されている受信履歴及び送信履歴の各テーブルから、選択された相手のメールを検索して読み出し、表示部１に読み出したメール履歴を時系列に出力する（ステップＳ１５０７）
【００６１】
そして、表示部１は、制御部１９から出力された発着信履歴又はメール履歴を一覧表示する（ステップＳ１５０８）。発着信履歴の表示例は図１３に、メール履歴の表示例は図６又は図１４に示されたものである。なお、メール履歴一覧表示後の動作は、図５に示されたステップＳ５０７以降の動作と同様である。
【００６２】
このようにして、電話帳部から相手を選択し、その表示情報から相手先閲覧を行うので、相手先閲覧表示の対象の選択を容易に行うことができる。
【００６３】
図１８は、本発明の一実施の形態における相手別閲覧の相手指定方法の第三の例を示すフローチャートである。図１８に示すように、まず、使用者は操作部６を用いてメールメニューの起動を行い（ステップＳ１７０１）、制御部１９は、操作部６からのメールメニュー起動の指示に基づいて、メールメニュー項目の表示を行う（ステップＳ１７０２）。
【００６４】
ここで、メールメニュー項目としては、受信メール閲覧、送信メール閲覧、新規メール作成、各種設定、等が挙げられる。メニュー項目が使用者から操作部６を介して指定されると、表示部１は、選択されたメニュー項目に関連した表示、例えば、新規メール作成ではメール作成画面、各種設定では各種設定メニュー画面等の表示を行う。
【００６５】
メニュー項目から受信履歴閲覧が選択されると（ステップＳ１７０３のＹ）、制御部１９は、記憶部１６の受信テーブルに格納された電子メールである受信メールを読み出し、表示部１に、読み出した受信メールを時系列に出力する（ステップＳ１７０４）。
【００６６】
メニュー項目から送信履歴閲覧が選択されると（ステップＳ１７０５のＹ）、制御部１９は、記憶部１６の送信テーブルに格納された電子メールである送信メールを読み出し、表示部１に、読み出した送信メールを時系列に出力する（ステップＳ１７０６）。
【００６７】
ステップＳ１７０４又はステップＳ１７０６において出力された受信メール又は送信メールは、表示部１にて、時系列に一覧表示される。そして、使用者により、所望の電子メールが選択された状態で、その電子メールの通信相手の相手別閲覧メニューが選択されると（ステップＳ１７０７のＹ）、制御部６は、記憶部１６に記憶されている受信履歴及び送信履歴の各テーブルから、選択されたメールの相手と同じ相手の電子メールを検索して読み出し、表示部１に読み出したメール履歴を時系列に出力する（ステップＳ１７０８）。
【００６８】
そして、表示部１は、制御部１９から出力された発着信履歴又はメール履歴を一覧表示する（ステップＳ１７０９）。発着信履歴の表示例は図１３に、メール履歴の表示例は図６又は図１４に示されたものである。なお、メール履歴一覧表示後の動作は、図５に示されたステップＳ５０７以降の動作と同様である。
【００６９】
このようにして、送受信メールの履歴から相手を選択し、その表示情報から相手先閲覧を行うので、相手先閲覧表示の対象の選択を容易に行うことができる。
【００７０】
以上、本実施の形態によれば、相手別閲覧を選択すれば、送信、受信、着信、発信に関係なく、それらを時系列に並べて表示することができ、指定した相手との間で、どのような内容の電子メールをどのような順で行ったかを一目瞭然と表示することができ、電話の場合も、その履歴を発信、受信に関係なく一覧表示できると言う効果を有する。
【００７１】
なお、以上の説明では、相手個人やグループを指定して、送信及び受信したメールの題名や本文、発着信を一覧表示する場合についてついて説明したが、時間範囲を指定し、その範囲にやりとりされたメールの題名及び本文並びに発着信を一覧表示してもよい。この時間の範囲としては、ある特定の日や月ほか、「８月１０日の１５時〜８月１１日の２０時」等、時刻により指定されてもよい。更に、相手又はグループと時間の範囲とを組み合わせて指定してもよい。
【産業上の利用可能性】
【００７２】
本発明の携帯端末装置は、電子メール、電話のやり取りを時系列に容易に正確に表示できる効果を有し、携帯電話等に有用である。
【図面の簡単な説明】
【００７３】
【図１】本発明の一実施の形態における携帯端末装置の外観図
【図２】本発明の一実施の形態における携帯端末装置の概略ブロック図
【図３】本発明の一実施の形態における携帯端末装置に使用する電話帳部の構成を示す図
【図４】本発明の一実施の形態における携帯端末装置に使用する記憶部の構成を示す図
【図５】本発明の一実施の形態における携帯端末装置の動作を示すフローチャート
【図６】本発明の一実施の形態における携帯端末装置において、相手別閲覧を選択した場合の表示を示す図
【図７】本発明の一実施の形態における携帯端末装置において、指定した電子メールを全文表示した場合の表示を示す図
【図８】本発明の一実施の形態における携帯端末装置において、受信履歴閲覧を選択した場合の表示を示す図
【図９】本発明の一実施の形態における携帯端末装置において、送信履歴閲覧を選択した場合の表示を示す図
【図１０】本発明の一実施の形態における携帯端末装置において、送信履歴閲覧を選択し、その上で指定した電子メールを全文表示指示した場合の表示例を示す図
【図１１】本発明の一実施の形態における携帯端末装置において、発信履歴閲覧を選択し、その上で指定した電子メールを全文表示指示した場合の表示例を示す図
【図１２】本発明の一実施の形態における携帯端末装置において、相手の氏名を入力する場合の一つの方法における表示例を示す図
【図１３】本発明の一実施の形態における携帯端末装置において、電話の相手別履歴を表示指示した場合の表示例を示す図
【図１４】本発明の一実施の形態における携帯端末装置において、相手別閲覧を選択した場合の別の表示例を示す図
【図１５】本発明の一実施の形態における携帯端末装置において、グループを指定した相手別閲覧を選択した場合の別の表示例を示す図
【図１６】本発明の一実施の形態における相手別閲覧の相手指定方法の第二の例を示すフローチャート
【図１７】本発明の一実施の形態における電話帳登録情報の表示例を示す図
【図１８】本発明の一実施の形態における相手別閲覧の相手指定方法の第三の例を示すフローチャート
【符号の説明】
【００７４】
１  表示部
２  第１の筐体
３  ナビゲーションキー
４  機能キー
５  テンキー
６  操作部
７  第２の筐体
８  ヒンジ部
９  アンテナ
１０  無線送受信部
１１  音声入出力部
１２  マイク
１３  レシーバ
１４  呼出音出力部
１５  スピーカ
１６  記憶部
１７  カメラ部
１８  電話帳部
１９  制御部
２０、２１  透孔
【図１】
2005160052.tif 000003
【図２】
2005160052.tif 000004
【図３】
2005160052.tif 000005
【図４】
2005160052.tif 000006
【図５】
2005160052.tif 000007
【図６】
2005160052.tif 000008
【図７】
2005160052.tif 000009
【図８】
2005160052.tif 000010
【図９】
2005160052.tif 000011
【図１０】
2005160052.tif 000012
【図１１】
2005160052.tif 000013
【図１２】
2005160052.tif 000014
【図１３】
2005160052.tif 000015
【図１４】
2005160052.tif 000016
【図１５】
2005160052.tif 000017
【図１６】
2005160052.tif 000018
【図１７】
2005160052.tif 000019
【図１８】
2005160052.tif 000020